(57)【要約】【課題】洗濯液の抵抗値を精度よく検知できる洗濯液センサーを実現する。【解決手段】絶縁トランスの一次側のコイル３４と並列に接続されたコンデンサで３０ｋＨｚを超える高周波で並列共振させる高周波発生手段により一次側が並列共振している時に、絶縁トランスの二次側の電極１２、１３に洗濯液が浸漬されると、並列共振インピーダンス測定手段４１に接続された並列共振インピーダンス変化手段４２により並列共振インピーダンスが変化することを検知し、洗濯液中の抵抗値を判定するようにしたものである。【選択図】図１
2010213889.tif 000002
【特許請求の範囲】
【請求項１】
洗濯液中に浸漬される一対の検知用の電極を絶縁トランスの二次側に接続し、前記絶縁トランスの一次側のコイルと並列にコンデンサを接続し、前記絶縁トランスの一次側のコイルと並列に接続されたコンデンサで３０ｋＨｚを超える高周波で並列共振させる高周波発生手段と、前記高周波発生手段の出力に接続され並列共振時のインピーダンスを測定する並列共振インピーダンス測定手段と、前記並列共振インピーダンス測定手段に接続され並列共振インピーダンスが変化することを検知する並列共振インピーダンス変化手段とを備え、前記高周波発生手段により一次側が並列共振している時に、前記絶縁トランスの二次側の電極に洗濯液が浸漬されると、並列共振インピーダンス測定手段に接続された並列共振インピーダンス変化手段により並列共振インピーダンスが変化することを検知し、洗濯液中の抵抗値を判定するようにした洗濯液センサー。
【請求項２】
高周波発生手段は、絶縁トランスの一次側コイルをコルピッツ発振回路のインダクタンスとし、並列コンデンサを前記コルピッツ発振回路のコンデンサとした請求項１記載の洗濯液センサー。
【請求項３】
高周波発生手段は、絶縁トランスの一次側インダクタンスと並列コンデンサが決まれば、並列共振周波数で自動的に発振する自励発振とした請求項１または２記載の洗濯液センサー。
【請求項４】
並列共振インピーダンス測定手段は、高周波発生手段の出力をダイオードおよび抵抗とコンデンサで平滑する構成とした請求項１〜３のいずれか１項に記載の洗濯液センサー。
【請求項５】
絶縁トランスの一次側コイルと二次側コイルの巻き数比を変えるようにした請求項１〜４のいずれか１項に記載の洗濯液センサー。
【請求項６】
絶縁トランスのコイル巻数を切換えるコイル巻数切換手段を設けた請求項１〜５のいずれか１項に記載の洗濯液センサー。
【請求項７】
絶縁トランスのコイルは、インダクタンスの直列に接続される抵抗分を小さくした請求項１〜６のいずれか１項に記載の洗濯液センサー。
【請求項８】
洗濯液センサーと洗濯液センサー制御手段をリード線で接続し、前記洗濯液センサー制御手段は、電極Ａと電極Ｂおよびリード線に共振周波数の正弦波波形を印加して洗濯液の抵抗値を測定するようにした請求項１〜７のいずれか１項に記載の洗濯液センサー。
【発明の詳細な説明】
【技術分野】
【０００１】
本発明は、洗濯機の洗濯液の汚れを検知する洗濯液センサーに関するものである。
【背景技術】
【０００２】
従来、洗濯液の抵抗値を検知する構成は、洗濯液中に浸漬される一対の検知用の電極を高周波絶縁トランスの二次側に接続し、高周波絶縁トランスの一次側に１〜３０ｋＨｚの高周波電圧を印加する高周波発生回路とセンサー読込回路を接続し、センサー読込回路で読み取ったインピーダンス変化をマイクロコンピュータに取り込んで洗濯液の状態を検知するようにしていた（例えば、特許文献１参照）。
【特許文献１】特開平４−１８７１８３号公報
【発明の開示】
【発明が解決しようとする課題】
【０００３】
しかしながら、前記従来の構成では、高周波の周波数範囲が１〜３０ｋＨｚの範囲において検知するようにしたものであるため、水道水等洗濯液の抵抗値が大きい場合に精度よく検知することができないという問題があった。
【０００４】
本発明は、前記従来の課題を解決するもので、被測定液である水道水からメーカ指定濃度の洗濯液の抵抗値を精度よく検知することができる洗濯液センサーを提供することを目的とする。
【課題を解決するための手段】
【０００５】
前記従来の課題を解決するために、本発明の洗濯液センサーは、洗濯液中に浸漬される一対の検知用の電極を絶縁トランスの二次側に接続し、前記絶縁トランスの一次側のコイルと並列にコンデンサを接続し、前記絶縁トランスの一次側のコイルと並列に接続されたコンデンサで３０ｋＨｚを超える高周波で並列共振させる高周波発生手段と、前記高周波発生手段の出力に接続され並列共振時のインピーダンスを測定する並列共振インピーダンス測定手段と、前記並列共振インピーダンス測定手段に接続され並列共振インピーダンスが変化することを検知する並列共振インピーダンス変化手段とを備え、前記高周波発生手段により一次側が並列共振している時に、前記絶縁トランスの二次側の電極に洗濯液が浸漬されると、並列共振インピーダンス測定手段に接続された並列共振インピーダンス変化手段により並列共振インピーダンスが変化することを検知し、洗濯液中の抵抗値を判定するようにしたものである。
【０００６】
これによって、被測定液である水道水からメーカ指定濃度の洗濯液の抵抗値を精度よく検知することができる。
【発明の効果】
【０００７】
本発明の洗濯液センサーは、被測定液である水道水からメーカ指定濃度の洗濯液の抵抗値を精度よく検知することができる。
【発明を実施するための最良の形態】
【０００８】
第１の発明は、洗濯液中に浸漬される一対の検知用の電極を絶縁トランスの二次側に接続し、前記絶縁トランスの一次側のコイルと並列にコンデンサを接続し、前記絶縁トランスの一次側のコイルと並列に接続されたコンデンサで３０ｋＨｚを超える高周波で並列共振させる高周波発生手段と、前記高周波発生手段の出力に接続され並列共振時のインピーダンスを測定する並列共振インピーダンス測定手段と、前記並列共振インピーダンス測定
手段に接続され並列共振インピーダンスが変化することを検知する並列共振インピーダンス変化手段とを備え、前記高周波発生手段により一次側が並列共振している時に、前記絶縁トランスの二次側の電極に洗濯液が浸漬されると、並列共振インピーダンス測定手段に接続された並列共振インピーダンス変化手段により並列共振インピーダンスが変化することを検知し、洗濯液中の抵抗値を判定するようにしたことにより、３０ｋＨｚを超える共振周波数でＱ値を大きくことで水道水の抵抗値の検知精度をよくすることができ、水道水からメーカ指定濃度の洗濯液の抵抗値を精度よく検知することができるとともに、小型で低コストの洗濯液センサーを実現することができる。
【０００９】
第２の発明は、特に、第１の発明の高周波発生手段は、絶縁トランスの一次側コイルをコルピッツ発振回路のインダクタンスとし、並列コンデンサを前記コルピッツ発振回路のコンデンサとしたことにより、高周波発生手段を容易に構成することができる。
【００１０】
第３の発明は、特に、第１または第２の発明の高周波発生手段は、絶縁トランスの一次側インダクタンスと並列コンデンサが決まれば、並列共振周波数で自動的に発振する自励発振としたことにより、並列共振インピーダンスの最大値の状態で発振を継続するので、洗濯液の抵抗値を精度よく検知することができ、洗濯液センサーに最適である。
【００１１】
第４の発明は、特に、第１〜第３のいずれか１つの発明の並列共振インピーダンス測定手段は、高周波発生手段の出力をダイオードおよび抵抗とコンデンサで平滑する構成としたことにより、高周波波形を直流波形で検知することができる。
【００１２】
第５の発明は、特に、第１〜第４のいずれか１つの発明の絶縁トランスの一次側コイルと二次側コイルの巻き数比を変えるようにしたことにより、洗濯液の抵抗値の検知範囲を変えることができ、検知精度を向上することができる。
【００１３】
第６の発明は、特に、第１〜第５のいずれか１つの発明の絶縁トランスのコイル巻数を切換えるコイル巻数切換手段を設けたことにより、洗濯液の抵抗値の検知範囲を拡大することができる。
【００１４】
第７の発明は、特に、第１〜第６のいずれか１つの発明の絶縁トランスのコイルは、インダクタンスの直列に接続される抵抗分を小さくしたことにより、並列共振インピーダンスを大きくすることができ、洗濯液の抵抗値の変化によるインピーダンスの変化範囲を拡大することができる。
【００１５】
第８の発明は、特に、第１〜第７のいずれか１つの発明の洗濯液センサーと洗濯液センサー制御手段をリード線で接続し、前記洗濯液センサー制御手段は、電極Ａと電極Ｂおよびリード線に共振周波数の正弦波波形を印加して洗濯液の抵抗値を測定するようにしたことにより、共振周波数以外のノイズの影響を受けにくく、ノイズに対して強くすることができる。
【００１６】
以下、本発明の実施の形態について図面を参照しながら説明する。なお、本実施の形態によって本発明が限定されるものではない。
【００１７】
（実施の形態１）
図１は、本発明の実施の形態１における洗濯機の概略構成図、図２は、洗濯液センサーの構成図、図３は、制御回路のブロック図、図４は、洗濯液センサー制御手段の回路図である。図１〜図４において、１は洗濯機全体の外箱で、その内部に外槽２が配設され、さらに外槽２の内側に洗濯槽としてのドラム３が水平方向から少し前上がりに傾斜した回転軸によって回転可能な状態で配設されている。ドラム３は、背面にモータ４が接続され、
このモータ４の回転によりドラム３が回転するようになっている。また、ドラム３は、外周面に多数の通水孔が設けられており、洗濯槽、脱水槽、乾燥槽としても機能するものである。
【００１８】
外槽２の最底部には、取水口５が設けられており、排水弁６を介して排水管７につながっている。取水口５と排水弁６の間からは、取水口５から取り込んだ洗濯液をドラム３に吐出する吐出口８につながった循環経路９が連通しており、外槽２の洗濯液やすすぎ液を循環できるようにしている。循環経路９には洗濯液の状態を検知する洗濯液センサー１０が設置されている。
【００１９】
洗濯液センサー１０は、図２に示すように、電極Ａ１２と電極Ｂ１３が循環経路９を挟んで対峙して設置され、洗濯液センサー１０は制御回路１１に接続されている。制御回路１１は図３に示すように構成している。電源手段２０は、交流電源に接続され中央制御手段２１の電源を供給する。
【００２０】
中央制御手段２１は、洗濯機の操作入力を受け付ける操作入力手段２２、および洗濯機の状態を示す表示手段２３、およびモータ４を制御するモータ制御手段２４、および排水弁６を制御する排水弁制御手段２５、および洗濯液センサー１０を制御する洗濯液センサー制御手段２６に接続されている。
【００２１】
洗濯液センサー制御手段２６の詳細な構成を図４に示す。図４において、１２は洗濯液中に浸漬される洗濯液センサー１０の電極Ａ、１３は電極Ａと対をなす電極Ｂである。３３は絶縁トランスの二次側のコイルで、一端は電極Ａ１２に他端は電極Ｂ１３に接続されている。
【００２２】
３４は絶縁トランスの一次側のコイルで、絶縁トランスの一次側のコイル３４の一端は、一次側のコイル３４と並列に接続される３５のコンデンサＣ１の一端と増幅回路である３７のインバータの入力に接続され、絶縁トランスの一次側のコイル３４の他端は、一次側のコイル３４と並列に接続される３６のコンデンサＣ２の一端とインバータ３７の出力とダイオード３８のアノードに接続されている。
【００２３】
３５のコンデンサＣ１と３６のコンデンサＣ２の他端はグランドに接続され、ダイオード３８のカソードは、３９のコンデンサＣ３の一端と４０の抵抗Ｒ１の一端と並列共振インピーダンス測定手段４１の入力に接続され、コンデンサＣ３と抵抗Ｒ１の他端はグランドに接続され、並列共振インピーダンス測定手段４１の出力は、並列共振インピーダンス変化手段４２に接続され、並列共振インピーダンス変化手段４２の出力は、中央制御手段２１に接続されて洗濯液センサー制御手段２５が構成されている。
【００２４】
なお、洗濯液センサー制御手段２６の中の高周波発振手段は、絶縁トランスの一次側のコイル３４とコンデンサＣ１の３５と増幅回路３７とに接続されるコンデンサＣ２の３６の構成によりコルピッツ発振回路で実現している。
【００２５】
次に、本実施の形態の洗濯機の抵抗値を検知する動作について説明する。まず、図３の操作入力手段２２から洗濯やすすぎの指示が中央制御手段２１に与えられる。そして、給水されモータ制御手段２４によりモータ４が駆動し、ドラム３を回転することで、ドラム３や外槽２内の洗濯液が取水口５より循環経路９に入り、この循環経路９に設けた洗濯液センサー１０を通ってドラム３へと循環する。
【００２６】
これにより、循環経路９内の洗濯液は、常にドラム３や外槽２内の洗濯液と同じ状態になる。洗濯液は、洗剤やドラム３の回転による攪拌によって洗濯物からの汚れが溶け出し
て徐々に濁ってくる。一方、洗濯液の汗成分の量は、洗濯液の抵抗値の変化として捕らえることができ、図５に洗濯液の汗成分の量は洗濯液の抵抗値の関係を示す。洗濯液の抵抗値を測定すると、洗濯物から溶け出した汗（主成分は塩化ナトリウム）を主とした汚れの量を判定でき、洗濯液センサー１０と洗濯液センサー制御手段２５で洗濯液の抵抗値の時間による状態の変化を見ることができる。
【００２７】
洗濯液センサー１０と洗濯液センサー制御手段２５で洗濯液の抵抗値の時間による状態の変化を見る方法について、図６で具体的に説明する。図６に示すように、絶縁トランスの二次側のコイル３３に接続された洗濯液中に浸漬される検知用の電極Ａ１２、電極Ｂ１３間に洗濯液がなくなり、空気が接触したときの抵抗値Ｚ∞の時の一次側の並列共振インピーダンスをＺ１とする。
【００２８】
電極Ａ１２、電極Ｂ１３間に洗濯液が接触したときの抵抗値をＺ２とすると、その時の一次側の並列共振インピーダンスはＺ１２となり、Ｚ１より小さくなる。つまり、二次側コイル３３の洗濯液の抵抗値が小さくなると、一次側の並列共振インピーダンスも小さくなる。そうなるとコルピッツ発振回路の正弦波の振幅も小さくなり、３９のコンデンサＣ３と４０の抵抗Ｒ１で構成される平滑回路の出力に接続された並列共振インピーダンス測定手段４１の入力電圧も小さくなる。
【００２９】
並列共振インピーダンス変化手段４２は、この並列共振インピーダンス測定手段４１の入力電圧の変化を見ることによりＺ１を識別し、図７に示すあらかじめ測定しておいた絶縁トランスの一次側のインピーダンスをＺ１と絶縁トランスの二次側のインピーダンス（洗濯液中に浸漬される洗濯液の抵抗値）Ｚ２の関係から、洗濯液中に浸漬される検知用の電極Ａ１２、電極Ｂ１３間に接触する洗濯液の抵抗値Ｚ２を判断することができる。
【００３０】
なお、本実施の形態において、洗濯液センサー制御手段２６の高周波発生手段としてコルピッツ発振回路とし、これは絶縁トランスの一次側インダクタンスとコンデンサが決まれば、並列共振周波数で自動的に発振する自励発振である構成にしているので、絶縁トランスやコンデンサの温度の変化により並列共振周波数が変化しても、並列共振インピーダンスの変化は少ない。また、自励発振なので並列共振インピーダンスの最大値の状態で発振を継続するので、洗濯液の抵抗値を精度よく見る洗濯液センサーに適している。
【００３１】
しかし、本発明の構成によれば、検知用の電極Ａ１２、電極Ｂ１３間に洗濯液がなくなり、空気が接触したときの抵抗値Ｚ∞の時の一次側の並列共振インピーダンスはＺ１なので、Ｚ１以上の洗濯液の大きな抵抗値は検知することができない。洗濯液の抵抗値は、洗濯液に含まれる塩化ナトリウムの濃度による抵抗値や電極Ａ１２と電極Ｂ１３間の距離および電極形状により変化するので、この一次側の並列共振インピーダンスはＺ１が大きくなるほど二次側の抵抗値Ｚ２である洗濯液の大きな抵抗値も検知できるので検知範囲が広がり、精度も向上する。
【００３２】
そこで、一次側の並列共振インピーダンスはＺ１を大きくするには、インダクタンスのＱ値を大きくする必要がある。Ｑ値は次式で示される。
【００３３】
Ｑ＝２π×共振周波数×インダクタンス÷インダクタンスと直列に接続される抵抗分
つまり、共振周波数やインダクタンスを大きくし、インダクタンスの直列に接続される抵抗分を小さくすれば、Ｑ値は大きくなる。従来の技術では、１から３０ｋＨＺであったが、それでは十分大きなＱ値が得られない。本発明では３０ｋＨｚを超える３００ｋＨｚという共振周波数でＱ値を大きくすることによりＺｒを大きくし、図５に示す水道水の抵抗値である約４ｋΩを検知することができるようになる。
【００３４】
その他にＱ値を大きくする方法として、インダクタンスの直列に接続される抵抗分を小さくする方法として、コイルのリード線の直径を大きくする方法や、細いリード線を数多く拠って１本のコイルとするなどの方法がある。また、インダクタンスを大きくする方法としては、巻数を増やすとか、トランスのコアの透磁率を大きくする方法もある。Ｑ値を大きくすると一次側の並列共振インピーダンスを大きくできるので、洗濯液の抵抗値（二次側の抵抗値）の変化によるインピーダンスの変化範囲を拡大することができる。
【００３５】
このように、制御回路２１は洗濯液センサー制御手段２６を制御して、例えば１分毎に洗濯液の抵抗値を測定し、洗濯液の状態を判断し洗濯工程やすすぎ工程の制御に用いることができる。例えば、制御回路２１は抵抗値があらかじめ定めた値よりも高ければ、抵抗値が水道水と同等のレベルと判断し、すすぎ完了と判断してすすぎを終了するなどの制御に用いることができる。
【００３６】
なお、洗濯液センサー１０を制御する洗濯液センサー制御手段２６は、図１に示すように洗濯機の操作部である上部の制御回路１１の近傍におかれ、洗濯液センサー１０は洗濯機の下部に置かれる。洗濯液センサー１０と洗濯液センサー制御手段２６を接続するとき、約１ｍのリード線（図示せず）で接続しなければならない、リード線が長いのでノイズの影響が心配されるが、洗濯液センサー制御手段２６は、電極Ａ１２と電極Ｂ１３とリード線には、共振周波数の正弦波波形が印加して洗濯液の抵抗値を見ているので、共振周波数以外のノイズの影響を受けにくく、ノイズに強い。
【００３７】
また、図７に示すように、絶縁トランスの一次側コイル３４と二次側コイル３３の巻き数比を１：ｎに変えることにより、洗濯液中に浸漬される洗濯液の抵抗値の検知範囲を変えることができ、検知精度を向上できる。絶縁トランスの一次側のインピーダンスをＺ１、絶縁トランスの二次側のインピーダンス（洗濯液中に浸漬される洗濯液の抵抗値）をＺ２とすると、Ｚ２＝ｎ２×Ｚｒという関係がある。
【００３８】
絶縁トランスの一次側の並列共振インピーダンスがＺｒだから、Ｚｒ＝ｎ２×Ｚ２という関係が成立する。例えば、Ｚｒ＝２００００Ωとし、ｎ＝０．５とするとＺ２＝５００Ω、ｎ＝１とするとＺ２＝２００００Ωとなる。つまり、絶縁トランスの一次側の並列共振インピーダンスＺｒは同じでも、巻き数比を変えることにより絶縁トランスの二次側のインピーダンス（洗濯液中に浸漬される洗濯液の抵抗値）Ｚ２を変えることができる。このように巻き数比を１：ｎに変えることにより、洗濯液中に浸漬される洗濯液の抵抗値の検知範囲を変えることができる。
【００３９】
また、洗濯液中に浸漬される一対の検知用の電極Ａ１２と電極Ｂ１３には交流がかかるので、電極に直流が印加した場合にくらべて金属の腐食が少ない。さらに、一次側コイルと二次側コイルは絶縁されているので人体への影響がない。
【００４０】
（実施の形態２）
図８は、本発明の実施の形態２の洗濯液センサー制御手段の回路図である。図８において、図４の実施の形態１と同じ構成要素については同じ符号を付し、詳細な説明は実施の形態１を援用する。
【００４１】
図８において、４９は中間タップを持つ一次側コイル、４３はコイル巻数切換駆動手段であるトランジスタでリレーの一端に接続されている。４４は入力が並列共振インピーダンス変化手段４２の出力に接続されたコイル巻数切換手段であるリレーで、このリレー４４の他端は４５の電源に接続されている。４６はリレー４４の通常時オン接点で絶縁トランスの一次側コイルの他端に接続されている。４７はリレー４４の共通接点で、増幅回路３７の出力に接続されている。４８はリレーの通常時オフ接点で絶縁トランスの一次側の
コイル４９の中間タップに接続されている。
【００４２】
上記構成において、以下にその動作を説明する。並列共振インピーダンス変化手段４２から出力が出ると、コイル巻数切換駆動手段４３に入力されトランジスタがオンし、３４のコイル巻数切換手段であるリレーをオンする。増幅回路３７の出力に接続されたリレー４４の共通接点は、通常時オフ接点に接続された絶縁トランスの一次側のコイルの中間タップに接続される。一方、絶縁トランスの一次側のコイルの他端は増幅回路３７の入力に接続されるので、インダクタンスは絶縁トランスの一次側のコイル４９の一端と中間タップ間のインダクタンスＬｍとなる。
【００４３】
並列共振インピーダンス変化手段４２から出力が出ていない時は、４３のコイル巻数切換駆動手段のトランジスタはオフで、４４のコイル巻数切換手段であるリレーもオフなので、増幅回路３７の出力に接続されたリレー４４の共通接点は、通常時オン接点に接続された絶縁トランスの一次側のコイルの一端に接続される。一方、絶縁トランスの一次側のコイルの他端は増幅回路の入力に接続されるので、インダクタンスは絶縁トランスの一次側のコイル４９の一端と他端間のインダクタンスＬとなる。
【００４４】
このように、増幅回路３７のインダクタンスが変化するので、絶縁トランスのコイルの一次側コイルと二次側コイルの巻数比を変えることにより、洗濯液中に浸漬される洗濯液の抵抗値の検知範囲を変えることができる。図９に示すように、巻数比ｎ＝１の時は実線で示しており、絶縁トランスの二次側インピーダンスはＺ２１ｍｉｎからＺ２１ｍａｘまで変化する。巻数比ｎ＝２の時は破線で示しており、絶縁トランスの二次側インピーダンスはＺ２２ｍｉｎからＺ２２ｍａｘまで変化する。
【００４５】
つまり、コイルの巻数を切換えることにより、絶縁トランスの二次側インピーダンスは、Ｚ２１ｍｉｎからＺ２２ｍａｘまで絶縁トランスの二次側インピーダンス（洗濯液中に浸漬される洗濯液の抵抗値）の検知範囲を拡大することができる。
【００４６】
なお、本実施の形態では、絶縁トランスの一次側のコイルの巻数を切換えているが、二次側のコイルの巻数を切換えても同じ効果を得ることができる。
【産業上の利用可能性】
【００４７】
以上のように、本発明にかかる洗濯液センサーは、被測定液である水道水からメーカ指定濃度の洗濯液の抵抗値を精度よく検知することができるので、洗濯液の汚れを検知するセンサーとして有用である。
【図面の簡単な説明】
【００４８】
【図１】本発明の実施の形態１における洗濯機の概略構成図
【図２】同洗濯機の洗濯液センサーの構成図
【図３】同洗濯機の制御回路のブロック図
【図４】同洗濯機の洗濯液センサー制御手段の回路図
【図５】同洗濯機の洗濯液の抵抗値と汚れの関係図
【図６】同洗濯機の洗濯液の抵抗値の変化図
【図７】同洗濯機の巻数比を変えた時の絶縁トランスの一次側インピーダンスと二次側インピーダンスの関係図
【図８】本発明の実施の形態２における洗濯機の洗濯液センサー制御手段の回路図
【図９】同洗濯機のコイル巻数切換手段を用いた場合の洗濯液中に浸漬される洗濯液の抵抗値の範囲の拡大を示す図
【符号の説明】
【００４９】
２  外槽
３  ドラム
４  モータ
９  循環経路
１０  洗濯液センサー
１１  制御回路
１２  電極Ａ
１３  電極Ｂ
２６  洗濯液センサー制御手段
３３  絶縁トランスの二次側コイル
３４  絶縁トランスの一次側コイル
３５  コンデンサ１
３６  コンデンサ２
３７  増幅回路インバータ
３８  ダイオード
４１  並列共振インピーダンス測定手段
４２  並列共振インピーダンス変化手段
【図１】
2010213889.tif 000003
【図２】
2010213889.tif 000004
【図４】
2010213889.tif 000005
【図６】
2010213889.tif 000006
【図７】
2010213889.tif 000007
【図８】
2010213889.tif 000008
【図９】
2010213889.tif 000009
【図３】
2010213889.tif 000010
【図５】
2010213889.tif 000011